(57)【要約】【課題】バス等に乗車する人員を確実に計数することができる通過人員計数装置を提供することである。【解決手段】通過人員計数装置は、出入口に設けられたドアが開いていると検出する開閉検出手段と、出入口を通過する物体を検出して検出信号を出力する通過検出手段と、前記検出信号の出力時間を測定する測定手段と、前記検出信号に基づいて通過した物体の数をカウントする計数手段とを有し、出入口のドアが開状態の時に、出入口を通過した物体の通過時間が予め定められた所定の時間を超えた際に出力される検出信号を２回に１度の割合でカウントを行う。【選択図】図１
2005251080.tif 000002
【特許請求の範囲】
【請求項１】
出入口を通過する物体を検出して検出信号を出力する通過検出手段と、前記出力された検出信号に基づいて通過した物体の数をカウントする計数手段と、を有する通過人員計数装置であって、
前記計数手段は、前記出力される検出信号を２回に１度の割合でカウントすることを特徴とする通過人員計数装置。
【請求項２】
前記検出信号の出力時間を測定する測定手段をさらに有し、
前記計数手段は、前記測定された出力時間が予め定められた所定の時間を超えた際にカウントすることを特徴とする請求項１に記載の通過人員計数装置。
【請求項３】
前記出入口に設けられたドアの開閉を検出する開閉検出手段をさらに有し、
前記計数手段は、前記開閉検出手段によりドアが開いていると検出された際にカウントすることを特徴とする請求項１又は２に記載の通過人員計数装置。
【請求項４】
前記通過検出手段は、非接触型の検出手段であることを特徴とする請求項１に記載の通過人員計数装置。
【発明の詳細な説明】
【技術分野】
【０００１】
本発明は、バス等の出入口に設けられて当該出入口を通過する人員を計数する装置に関する。
【背景技術】
【０００２】
従来、バスの定員に対する乗車人員の把握のため、運賃支払い用の整理券を数える装置を導入したり、ドライバが直接人員を数えたりしている。また、バスの出入口に物体の侵入を検出するセンサを配置し、該センサの検出信号に基づいてバスに乗車する人員を数える装置が提案されている。
【０００３】
この種の人員計数装置として、例えば、出入口等の上部に投光器と受光器とを配置し、その投光器から出た光束と受光器の光の進入経路の延長路とが交差する交差部に通過者が来たときに投光器と受光器との間に光のループが形成されるようにし、これを信号として取り出しカウントする方法が提案されている（例えば、特許文献１参照）。また、出入口への物体の進入を検出する検出センサと、出入口の幅方向に複数配設されて物体の通過に伴って値の異なる出力値を出力する通過センサとから構成され、これら検出センサ及び通過センサの出力値に基づいて人員数をカウントする装置が提案されている（例えば、特許文献２及び３参照）。
【特許文献１】特開昭５５−１６２７８号公報
【特許文献２】特開平６−３１８２７９号公報
【特許文献３】特開平６−３１８２８０号公報
【発明の開示】
【発明が解決しようとする課題】
【０００４】
しかしながら、整理券を数える装置を用いる場合では、整理券の管理等が煩雑になるとともに維持費等コストが増加してしまう可能性がある。また、ドライバが直接人員を数えることは、ドライバへ負担がかかるとともに安全面においても問題がある。特許文献１の方法では、荷物等の人以外の通過も検出し、これを人が通過したとして誤検出してしまう。また、出入口にドアがある場合には、入退場が行われないドアの閉時においても通過として誤検出してしまう。また、入場者と退場者を区別できないため、出入口が一つしかないような場合には一人の客に対し二重のカウントをしてしまう。特許文献２及び３の装置では、検出センサ及び複数の通過センサから構成されるため、装置が煩雑となりコストが増加する可能性がある。
【０００５】
上記課題を解決するために、バス等に乗車する人員を確実に計数することができる通過人員計数装置を提供することである。
【課題を解決するための手段】
【０００６】
上記課題を解決するために、請求項１に記載の発明は、
出入口を通過する物体を検出して検出信号を出力する通過検出手段と、前記出力された検出信号に基づいて通過した物体の数をカウントする計数手段と、を有する通過人員計数装置であって、
前記計数手段は、前記出力される検出信号を２回に１度の割合でカウントすることを特徴としている。
【０００７】
請求項２に記載の発明は、請求項１に記載の発明において、
前記検出信号の出力時間を測定する測定手段をさらに有し、
前記計数手段は、前記測定された出力時間が予め定められた所定の時間を超えた際にカウントすることを特徴としている。
【０００８】
請求項３に記載の発明は、請求項１又は２に記載の発明において、
前記出入口に設けられたドアの開閉を検出する開閉検出手段をさらに有し、
前記計数手段は、前記開閉件手段によりドアが開いていると検出された際にカウントすることを特徴としている。
【０００９】
請求項４に記載の発明は、請求項１に記載の発明において、
前記通過検出手段は、非接触型の検出手段であることを特徴としている。
【発明の効果】
【００１０】
請求項１に記載の発明によれば、出入口を通過する物体を検出して出力される検出信号を２回に１度の割合でカウントするようにしたことにより、一人の客が前記出入口に対し入退場を行うような場合でも１度カウントされるのみであるため、二重のカウントを防止することが可能であるため、バス等に乗車する人員を確実に計数することができる。また、装置が煩雑にならないためコスト削減を図ることができる。
【００１１】
請求項２に記載の発明によれば、検出信号の出力時間を測定して、この出力時間が予め定められた所定の時間を超えた際にカウントするようにしたことにより、人と荷物等の人以外の物とを検出時間により区別することができるため、誤計数を防止することが可能であり、バス等に乗車する人員を確実に計数することができる。また、また、装置が煩雑にならないためコスト削減を図ることができる。
【００１２】
請求項３に記載の発明によれば、出入口に設けられたドアが開いていると検出されている時にカウントするようにしたことにより、入退場が行われないドアの閉時において、通過の誤検出等による誤計数を防止することが可能であるため、バス等に乗車する人員を確実に計数することができる。また、また、装置が煩雑にならないためコスト削減を図ることができる。
【００１３】
請求項４に記載の発明によれば、非接触型の検出手段を用いることにより、出入口を通過する人に対し接触することがないため、出入口の入退場の妨げになることはなく、又、出入口を通過する人に意識させることなくバス等に乗車する人員を計数することができる。
【発明を実施するための最良の形態】
【００１４】
以下、図に基づいて本発明を実施するための最良の形態について詳細に説明する。なお、本実施の形態では、出入口を一つ備えたバスに本発明を適用する例を示す。ただし、発明の範囲は、本実施の形態に限定されないものとする。
【００１５】
図１は最も基本的な態様を示すもので、通過人員計数装置Ａは、出入口の通過を検出する通過検出手段として通過検出手段１０と、出入口のドアの開閉を検知する開閉検出手段としての開閉検出手段２０と、これら通過検出手段１０及び開閉検出手段２０と連係する計数部３０と、を有している。
【００１６】
通過検出手段１０は、投光器１１及び受光器１２を有して構成されている。投光器１１は、赤外線或いは可視光や非可視光の発光素子からなり、出入口を通過する物体に対して投光するように設けられる。
【００１７】
受光器１２は、投光器１１から投光された光を受光することが可能な位置に設けられ、投光器１１と受光器１２との間で走査される光が物体によって遮られている場合に、連続電気信号を検出信号として測定手段３１に出力する。この検出信号の出力時間は被検出物の存在を検出している時間、即ち、被検出物の通過時間に相当する。このように、非接触型の検出手段を用いることにより、出入口を通過する人に対し接触することがないため、バスの乗車、降車の妨げになることはなく、又、出入口を通過する人に意識させることなく人員を計数することができる。
【００１８】
上記した投光器１１及び受光器１２は、出入口の両側部にそれぞれ配置する。ここで、投光器１１は、出入口側面から垂直または適当な角度を持って投光するように配置し、受光器１２は、投光器１１から投光される光の光軸方向上に配置する。このように、出入口を通過する物体に対し、投光器１１及び受光器１２間で走査される光が照射される位置に配置を行う。なお、投光器１１及び受光器１２が配置される高さは、出入口を通過する人の検出が可能な高さに配置することする。例えば、通過する人の腰から肩の位置に投光器１１及び受光器１２間で走査される光が照射可能な位置に配置を行う。なお、投光器１１及び受光器１２が配置される位置及び高さは、任意の位置に配置することが可能であるものとする。
【００１９】
開閉検出手段２０は、出入口を開閉するドアの開閉が検出することが可能な位置に設けられており、ドアの開状態及び閉状態に対応した所定の電気信号を測定手段３１に出力する。
【００２０】
計数部３０は、測定手段３１と、計数手段３２と、入出力手段３３と、表示手段３４と、記憶手段３５と、を有している。
【００２１】
測定手段３１は、開閉検出手段２０からドアの開状態に対応した電気信号が入力されると、検出信号受信開始のトリガとして受光器１２から出力された検出信号の受信を開始する。測定手段３１は、入力された検出信号の出力時間を測定し、所定の通過時間以上の検出信号であった場合に、電気信号を検出信号として計数手段３２に出力する。ここで、測定手段３１には、予め所定の通過時間に対応する閾値が入力設定されており、その閾値に基づいて通過する物体が入場者か否かを判別する。
【００２２】
図２を参照して、測定手段３１で行われる通過時間に対応する閾値についての処理について説明する。
図２のグラフにおいて、縦軸は受光器１２から送信された検出信号の出力を示しており、横軸は、検出信号の出力時間を示している。ここで、三つの出力のピークは、通過検出手段１０により検出された検出信号を示している。なお、ここで出力時間ｔ１、ｔ３が荷物等人以外の物体が通過した際に検出された検出信号であり、出力時間ｔ２が出入口を人が通過した際に検出された検出信号である。このように、人が通過する時間と、荷物等が通過する時間が異なっている。つまり、人が入場のために出入口を通過する通過時間と、荷物等が出入口を通過する通過時間と、の違いを利用して出入口を通過する物体が入場者か否を判別する。
【００２３】
例えば、所定の通過時間に対応する閾値Ｔをｔ１、ｔ３＜Ｔ及びＴ≦ｔ２となるような値に設定することにより、図２の斜線で覆った出力時間ｔ２の検出信号のみを測定手段３１は、検出信号と判定するため出入口を通過する物体が入場者か否を判別することができる。このように、人と荷物等の人以外の物とを検出時間により区別することができるため、誤検出を防止することができる。なお、閾値としては、２００ｍｓ程度が好ましいが、これに限らず、通過人員計数装置Ａを配置する環境に応じて任意の閾値に変更することが可能であるとする。
【００２４】
計数手段３２は、測定手段３１から出力された検出信号の受信し、その検出信号に基づいてカウントを行う。ここで、カウントは、測定手段３１から出力された検出信号を２回に１度の割合で行うこととする（以下、測定手段３１から出力された検出信号数を検出回数という。）。このことにより、一人の客が出入口に対し入退場を行うような場合でも１度カウントされるのみであるため、二重のカウントを防止することができる。また、ドアが開いていると検出されている時にカウントするようにしたことにより、入退場が行われないドアの閉時に出入口の通過として検出されてしまう誤検出を防止することができる。
【００２５】
なお、検出回数は、計数手段３２に備えられる不図示の記録媒体や記憶手段３５に記憶されているものとし、通過人員計数装置Ａに供給される電源が断たれた場合であっても、失われずに記憶されるものとする。
【００２６】
入出力手段３３は、計数手段３２から出力されたカウント信号を表示手段３４及び記憶手段３５に出力する。また、入出力手段３３を介してＰＣ（パーソナルコンピュータ）等により計数部３０の各部の設定を適宜変更できるものとする。
【００２７】
表示手段３４は、ＬＣＤ（Liquid Crystal Display）、ＬＥＤ（Light Emitting Diode）ランプ等で構成されており、入出力手段３３から出力されるカウント信号の表示を行う。また、通過検出手段１０及び開閉検出手段２０の動作状態を視認できるよう表示を行う。なお、本実施の形態では、表示手段３４を計数部３０内部に備えた例を示したが、これに限定されず、計数部３０外部に備える構成としてもよい。
【００２８】
記憶手段３５は、磁気的、光学的記録媒体、若しくは半導体メモリ等で構成されており、入出力手段３３から出力されるカウント信号の記憶を行う。計数手段３２は、記憶されたカウント値を入出力手段３３を介して読み出すことが可能であり、読み出されたカウント値から継続してカウントすることが可能である。また、検出回数が記憶されている場合、計数手段３２は、記憶された検出回数を入出力手段３３を介して読み出すことが可能であるとする。なお、本実施の形態では、記憶手段３５を計数部３０内部に備えた例を示したが、これに限定されず、計数部３０外部に備える構成としてもよい。
【００２９】
上記した計数部３０は、通過検出手段１０及び開閉検出手段２０とは独立した部位であるため、出入口付近に配置する必要はなく、通過人員計数装置Ａであれば配置される場所は、例えば、運転席付近等、乗客による誤操作等を回避することが可能な位置に配置することが好ましい。
【００３０】
次に、図３に示すフローチャートを参照して、通過人員計数装置Ａの動作を説明する。なお、以下に示すルーチンは、通過人員計数装置Ａに供給される電源が断たれるまで繰返し行われる。
【００３１】
まず、通過人員計数装置Ａに電源が供給されると、計数手段３２は、入出力手段３３を介して記憶手段３５に記憶されたカウント値である人員数を読み出し（ステップＳ１１）、この読み出された値が入出力手段３３により表示手段３４に表示される（ステップＳ１２）。なお、ここで、カウント値が記憶されていない場合は、表示手段３４に“０”が表示されるものとする。
【００３２】
続いて、計数手段３２に備えられた不図示の記録媒体や記憶手段３５から検出回数であるＮが読み出される（ステップＳ１３）。なお、何ら検出が行われておらず何も記憶されていない初期起動時には、検出回数Ｎは“０”であるとする。
【００３３】
次いで、測定手段３１において、開閉検出手段２０から出力されるドアの開状態に対応した電気信号が出力されるまで待機し（ステップＳ１４；Ｎｏ）、ドアの開状態に対応した電気信号を受信すると（ステップＳ１４；Ｙｅｓ）、通過検出手段１０から出力される検出信号の取り込みを開始する（ステップＳ１５）。
【００３４】
測定手段３１は、取り込んだ検出信号の出力時間を予め定められた閾値Ｔと比較し、閾値Ｔ以上である場合に（ステップＳ１６；Ｙｅｓ）、計数手段３２に検出信号の出力を行う（ステップＳ１７）。一方、ステップＳ１６で取り込んだ検出信号の出力時間が閾値Ｔを下回った場合（ステップＳ１６；Ｎｏ）、ステップＳ１４に再び戻る。
【００３５】
計数手段は３２、検出信号が入力されると、検出回数Ｎに“１”を加算して（ステップＳ１８）、当該検出回数Ｎが２に等しいか否かを判定し、Ｎが２に等しい場合に、人員としてカウントを行い（ステップＳ２０）、そのカウント値が入出力手段３３に出力される。一方、ステップＳ１９でＮが２に等しくない場合には（ステップＳ１９；Ｎｏ）、ステップＳ１４に再び戻る。
【００３６】
次いで、入出力手段３３によりカウント値である人員数が記憶手段３５に記憶されて（ステップＳ２１）、検出回数Ｎが“０”にリセットされる（ステップＳ２２）。
以上で、本処理は終了し、ステップＳ１１に再び戻る。
【００３７】
以上説明したように、出入口を通過する物体を検出して出力される検出信号を２回に１度の割合でカウントするようにしたことにより、一人の客が前記出入口に対し入退場を行うような場合でも１度カウントされるのみであるため、二重にカウントしてしまうことを防止することが可能であり、バス等に乗車する人員を確実に計数することができる。
【００３８】
また、検出信号の出力時間を測定して、この出力時間が予め定められた所定の時間を超えた際にカウントするようにしたことにより、人と荷物等の人以外の物とを検出時間により区別することができるため、誤計数を防止することが可能であり、バス等に乗車する人員を確実に計数することができる。
【００３９】
さらに、出入口に設けられたドアが開いていると検出されている時にカウントするようにしたことにより、入退場が行われないドアの閉時において、通過検出部を通過した際の誤計数を防止することが可能であるため、バス等に乗車する人員を確実に計数することができる。
【００４０】
また、非接触型の検出手段を用いることにより、出入口を通過する人に対し接触することがないため、バス等の乗車、降車の妨げになることはなく、又、出入口を通過する人に意識させることなくバス等の乗車する人員を計数することができる。さらに、装置が煩雑にならないためコスト削減を図ることができる。
【００４１】
なお、本実施の形態では、バスの出入口に通過人員計数装置Ａを配置する例を示したが、これに限らず、他の乗り物または建物等への出入口に配置することとしてもよい。また、本実施の形態では、出入口を一つ備えたバスの出入口に通過人員計数装置Ａが配置される例を示したが、これに限らず、複数の出入口がある場合は、それぞれに配置することとしてもよく、その場合には、入出力手段３３を介して各通過人員計数装置Ａ間でカウント値及び検出回数を共有できるようにすることが好ましい。
【００４２】
本実施の形態における記述は、本発明に係る通過人員計数装置の一例を示すものであり、これに限定されるものではない。本実施の形態における通過人員計数装置Ａの細部構成及び詳細動作に関しては、本発明の趣旨を逸脱しない範囲で適宜変更可能である。
【図面の簡単な説明】
【００４３】
【図１】通過人員計数装置の基本的な形態の一例を示す機能ブロック図である。
【図２】検出信号の発生状態の一例を説明するタイムチャートである。
【図３】通過人員計数装置の制御内容を示すフローチャートである。
【符号の説明】
【００４４】
Ａ  通過人員計数装置
１０  通過検出手段
１１  投光器
１２  受光器
２０  開閉検出手段
３０  計数部
３１  測定手段
３２  計数手段
３３  入出力手段
３４  表示手段
３５  記憶手段
【図１】
2005251080.tif 000003
【図２】
2005251080.tif 000004
【図３】
2005251080.tif 000005